(57)【要約】      （修正有）【課題】誘導部をアクセサリー内に隠すことができる立体瓶型誘導アンテナ構造を提供する。【解決手段】立体瓶型誘導アンテナ構造は、誘導部６０を瓶体４０に内蔵して、瓶体４０の外表面を介して誘導部６０を隠す。ブロックが瓶体４０内に設置され、ブロックと瓶体４０の間に収容空間が構成される。誘導部６０はブロックの一面に設置され、ブロックとカバー５０とを接続して、カバー５０と瓶体４０との間に幾何学的な瓶状構造が構成される。このようにして、ブロックとカバー５０とを接続して隠し空間を構成するため、誘導部６０は隠し空間内に隠すことができる。したがって、誘導部６０は瓶体４０に隠され、且つカバー５０を瓶体４０に接続することによって幾何学的な瓶状構造を構成する。【選択図】図３
0003233319.tif 000002
【実用新案登録請求の範囲】
【請求項１】
第１の瓶体と、第２の瓶体と、誘導部とを備える立体瓶型誘導アンテナ構造であって、
前記第１の瓶体の内部には、第１の凹部を備え、且つ前記第１の凹部の周りまたは内部に少なくとも１つの第１の接続部が設けられ、
前記第２の瓶体の内部には、第２の凹部を備え、且つ前記第２の凹部の周りまたは内部に少なくとも１つの第２の接続部が設けられ、
前記第１の瓶体と前記第２の瓶体を瓶体に構成するように、前記第１の接続部と前記第２の接続部を接続し、且つ前記瓶体内に前記第１の凹部および前記第２の凹部から構成する収容空間を有し、
前記誘導部は前記収容空間に設けられ、且つ前記第１の凹部または前記第２の凹部に接着することを特徴とする、立体瓶型誘導アンテナ構造。
【請求項２】
前記誘導部は、誘導アンテナであることを特徴とする、請求項１に記載の立体瓶型誘導アンテナ構造。
【請求項３】
前記第１の接続部を前記第２の接続部に嵌合して接続するように、前記第１の接続部の幅は前記第２の接続部の幅よりも大きいまたは前記第２の接続部の幅よりも小さいことを特徴とする、請求項１に記載の立体瓶型誘導アンテナ構造。
【請求項４】
前記瓶体の一端にハンガー構造が設けられることを特徴とする、請求項１に記載の立体瓶型誘導アンテナ構造。
【請求項５】
瓶体と、カバーと、誘導部とを備える立体瓶型誘導アンテナ構造であって、
前記瓶体内にブロックが設けられ、前記瓶体と前記ブロックの間に収容空間を有し、前記ブロックの周りに第１の接続部が設けられ、
前記カバーの周りに第２の接続部が設けられ、前記カバーと前記瓶体の間に幾何学的な瓶状構造を構成するように、前記第１の接続部と前記第２の接続部を接続し、
前記誘導部は、前記ブロックの一面に設けられ、且つ前記ブロックと前記カバーの間に挟まれることを特徴とする、立体瓶型誘導アンテナ構造。
【請求項６】
前記第１の接続部と前記第２の接続部に接続して、前記ブロックを前記第１の接続部と前記第２の接続部の間に内蔵するように、前記ブロックの幅は前記第１の接続部の幅よりも小さいことを特徴とする、請求項５に記載の立体瓶型誘導アンテナ構造。
【請求項７】
前記第１の接続部と前記第２の接続部の幅は、同じまたはその差が２０ｍｍ内であることを特徴とする、請求項５に記載の立体瓶型誘導アンテナ構造。
【請求項８】
前記誘導部は、誘導アンテナであることを特徴とする、請求項５に記載の立体瓶型誘導アンテナ構造。
【請求項９】
前記瓶体は透明材料からなることを特徴とする、請求項５に記載の立体瓶型誘導アンテナ構造。
【請求項１０】
前記ブロックと前記カバーが隠し空間を構成し、前記誘導部は前記隠し空間内に収容することを特徴とする、請求項５に記載の立体瓶型誘導アンテナ構造。
【請求項１１】
前記ブロックの一面には、接着面が設けられ、且つ前記接着面と前記カバーとの間に前記隠し空間を構成する所定距離があることを特徴とする、請求項１０に記載の立体瓶型誘導アンテナ構造。
【請求項１２】
前記瓶体の一端にハンガー構造が設けられることを特徴とする、請求項５に記載の立体瓶型誘導アンテナ構造。
【考案の詳細な説明】
【技術分野】
【０００１】
本考案は、無線誘導の領域に関わり、詳しくは、誘導部を瓶体内に内蔵する一種の立体瓶型誘導アンテナ構造に関する。
【背景技術】
【０００２】
情報技術が急速発展する現在、交通機関を利用する場合、以前の現金支払いの代わりに、人々は誘導アンテナを有する交通系ＩＣカード（例えば、ユーユーカード）を使用して支払いすることで、利便性を図る。
【０００３】
しかしながら、そのカードのサイズが大きく、且つ吊り下げ構造がないため、ハンドバッグまたはカードホルダーにしか入れられない。そのため、持ち運びを忘れたり、カード自体を紛失したりすることが多く、交通機関を利用する場合にユーザは現金で支払うしかなくなる。
【０００４】
このように、ユーザが忘れないようにするために、従来技術の問題点を解決し、携帯性を向上してユーザが容易に携帯できる技術が必要とされている。
【考案の概要】
【０００５】
本考案の目的は、瓶体の外殻を使用して誘導部を隠すように、誘導部を瓶体に埋め込むことである。このようにして、誘導部をアクセサリーの瓶体構造内に隠すことができるので、ユーザは誘導部を備える瓶体アクセサリーを持ち運ぶことができる。
【０００６】
上記の目的を達成するために、本考案は一種の立体瓶型誘導アンテナ構造を提供する。前記立体瓶型誘導アンテナ構造は、第１の瓶体と、第２の瓶体と、誘導部とを備える。前記第１の瓶体の内部には、第１の凹部を備え、且つ前記第１の凹部の周りまたは内部に少なくとも１つの第１の接続部が設けられ、前記第２の瓶体の内部には、第２の凹部を備え、且つ前記第２の凹部の周りまたは内部に少なくとも１つの第２の接続部が設けられ、前記第１の瓶体と前記第２の瓶体を瓶体に構成するように、前記第１の接続部と前記第２の接続部を接続し、且つ前記瓶体内に前記第１の凹部および前記第２の凹部から構成する収容空間を有し、前記誘導部は前記収容空間に設けられ、且つ前記第１の凹部または前記第２の凹部に接着する。
【０００７】
より好ましくは、前記誘導部は、誘導アンテナである。
【０００８】
より好ましくは、前記第１の接続部を前記第２の接続部に嵌合して接続するように、前記第１の接続部の幅は前記第２の接続部の幅よりも大きいまたは前記第２の接続部の幅よりも小さい。
【０００９】
より好ましくは、前記瓶体の一端にハンガー構造が設けられる。
【００１０】
本考案のもう一つの目的は、誘導部を瓶体内部にブロックが設けられる一面に設けられ、前記ブロックとカバーと接続する場合、前記カバーと前記瓶体との間に幾何学的な瓶状構造が構成される。そして、前記ブロックと前記カバーと接続すると、前記誘導部を内蔵する隠し空間を構成し、且つ前記瓶体の一端にハンガーが設けられる。このようにして、誘導部はアクセサリーの瓶体構造内に内蔵することができるので、ユーザは誘導部を備える瓶体アクセサリーを持ち運ぶことができる。
【００１１】
上記のもう一つの目的を達成するために、本考案は一種の立体瓶型誘導アンテナ構造を提供する。前記立体瓶型誘導アンテナ構造は、瓶体と、カバーと、誘導部とを備える。前記瓶体内にブロックが設けられ、前記瓶体と前記ブロックの間に収容空間を有し、前記ブロックの周りに第１の接続部が設けられ、前記カバーの周りに第２の接続部が設けられ、前記カバーと前記瓶体の間に幾何学的な瓶状構造を構成するように、前記第１の接続部と前記第２の接続部を接続し、前記誘導部は、前記ブロックの一面に設けられ、且つ前記ブロックと前記カバーの間に挟まれる。
【００１２】
より好ましくは、前記第１の接続部と前記第２の接続部に接続して、前記ブロックを前記第１の接続部と前記第２の接続部の間に内蔵するように、前記ブロックの幅は前記第１の接続部の幅よりも小さい。
【００１３】
より好ましくは、前記第１の接続部と前記第２の接続部の幅は、同じまたはその差が２０ｍｍ内である。
【００１４】
より好ましくは、前記誘導部は、誘導アンテナである。
【００１５】
より好ましくは、前記瓶体は透明材料からなる。
【００１６】
より好ましくは、前記ブロックと前記カバーが隠し空間を構成し、前記誘導部は前記隠し空間内に収容する。
【００１７】
より好ましくは、前記ブロックの一面には、接着面が設けられ、且つ前記接着面と前記カバーとの間に前記隠し空間を構成する所定距離がある。
【００１８】
より好ましくは、前記瓶体の一端にハンガー構造が設けられる。
【００１９】
本考案の上記目的、特徴および利点をわかりやすくように、以下は添付図面を参照して、その具体的な実施例を詳しく説明する。
【図面の簡単な説明】
【００２０】
【図１】本考案の一実施例の構造図。
【図２】本考案の一実施例の分解図。
【図３】本考案のもう一つ実施例のカバーと瓶体と接続する場合の構造図。
【図４】本考案のもう一つ実施例の分解図。
【考案を実施するための形態】
【００２１】
本考案をより完全に理解するために、本考案の技術特徴、内容と長所およびそれが達成できる作用効果について、添付図面を参照して、実施例の表現形式で以下のように詳細に説明する。但し、図示された図面は、単に例示または明細書内容を補助することを目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明しておきたい。
【００２２】
用語「含む」、「有する」および／または「包含する」は、本明細書で使用される場合に述べられた特徴、全体、ステップ、操作、素子、および／または部品の存在を示し、１つまたは複数の他の特徴、全体、ステップ、操作、素子、部品、および／またはそれらの組み合わせの存在または追加を除外しないことも理解されたい。
【００２３】
審査員が本考案の技術特徴、内容と長所およびそれが達成できる作用効果をより理解するために、添付図面を参照して、実施例の表現形式で以下のように詳細に説明する。
【００２４】
図１および図２を参照し、図１および図２は本考案の一実施例の構造図および分解図である。本考案が提供する立体瓶型誘導アンテナ構造は、第１の瓶体１０と、第２の瓶体２０と、誘導部３０とを備える。前記第１の瓶体１０の内部には、第１の凹部１１を備え、且つ前記第１の凹部１１の周りまたは内部に少なくとも１つの第１の接続部１２が設けられ、前記第２の瓶体２０の内部には、第２の凹部２１を備え、且つ前記第２の凹部２１の周りまたは内部に少なくとも１つの第２の接続部２２が設けられ。前記第１の接続部１２の幅は前記第２の接続部２２の幅よりも大きいまたは前記第２の接続部２２の幅よりも小さいため、前記第１の瓶体１０と前記第２の瓶体２０を瓶体に構成するように、前記第１の接続部１２と前記第２の接続部２２接続し、且つ前記瓶体内に前記第１の凹部１１および前記第２の凹部１２から構成する収容空間を有する。
【００２５】
また、前記誘導部３０は前記収容空間内に設けられ、且つ前記第１の凹部１１または前記第２の凹部２１に接着する。ここで、前記誘導部３０が前記第１の凹部１１または前記第２の凹部２１に接着することは、前記誘導部３０（例えば、誘導アンテナ）を前記第１の凹部１１または前記第２の凹部２１に設置するように、一部の前記誘導部３０が前記第１の凹部１１または前記第２の凹部２１の内部空間に接着することであり、前記誘導部３０全体が前記第１の凹部１１または前記第２の凹部２１に接着することではない。
【００２６】
また、前記瓶体はハンガー構造を更に設置することができるため、その瓶体はかばんまたは他のものにつけることができる。
【００２７】
図３および図４を参照し、図３および図４は本考案のもう一つ実施例の構造図および分解図である。図面に示すように、このもう一つの実施例において、瓶体４０は縦に分からる瓶体ではない。具体的説明すると、前記瓶体４０は開放面を有するＣ型の円筒状であり、且つ前記瓶体４０の内部にはブロック４１が設けられる。前記ブロック４１は前記瓶体４０内の所定位置に接続する。Ｃ型の円筒状の前記瓶体４０は、面積が小さい前記ブロック４１と接続するため、前記瓶体４０と前記ブロック４１の間に収容空間が構成される。そして、前記瓶体４０の前記ブロック４１の周りから突出する部分は、前記瓶体４０に設けられる第１の接続部４２である。
【００２８】
また、前記カバー５０の周りに第２の接続部５１が設けられ、且つ前記第１の接続部４２と前記第２の接続部５１の幅は同じでありまたはその差が２０ｍｍ以内である。そして、前記ブロック４１の幅が前記第１の接続部４２より小さいため、前記第１の接続部４２が前記第２の接続部５１に接続する場合、前記ブロック４１は前記第１の接続部４２と前記第２の接続部５１との間に内蔵する。このようにして、前記カバー５０と前記瓶体４０と接続すると、幾何学的な瓶状構造を構成することができる。例えば、前記第１の接続部４２は前記瓶体４０の方向に凹む溝４２１を有し、前記第２の接続部５１は前記ブロック４１の方向に突出する突出部５１１を有する。このようにして、前記溝４２１と前記突出部５１１と結合後、前記第１の接続部４２の凹んでない部分（すなわち、前記溝４２１以外の部分）は前記第２の接続部５１の凹んでない部分（すなわち、前記突出部５１１以外の部分）と接着する。前記カバー５０と前記瓶体４０との間に幾何学的な瓶状構造が構成される。前記突出部５１１および前記溝４２１の構造は前記第１の接続部４２または前記第２の接続部５１の外表面に隠されて、その構造を見えないようにする。
【００２９】
そして、前記カバー５０と前記瓶体４０と接続して前記ブロック４１を前記第１の接続部４２および前記第２の接続部５１内に隠す場合、前記ブロック４１と前記カバー５０との間に隠し空間が構成される。具体的説明すると、前記ブロック４１の一面には、接着面４１１が設置することができ、前記接着面４１１と前記カバー５０との間に所定距離があるように構成されることができる。例えば、前記カバー５０がアーク状である場合、前記接着面４１１は平面または前記瓶体４０の方向に向けて凹むアーク状を有することができる。このようにして、前記接着面４１１と前記カバー５０との間に所定距離を有する前記隠し空間が構成される。
【００３０】
前記誘導部６０（例えば、誘導アンテナ）は、前記ブロック４１の一面に設けられ、且つ前記ブロック４１と前記カバー５０との間に挟まれ、前記隠し空間内に設けられる。そのため、前記誘導部６０は前記ブロック４１および前記カバー５０に内蔵して、前記誘導部６０を隠すように瓶体構造を構成する。
【００３１】
前記カバー５０上にラベルが貼っており、前記瓶体４０は透明材料からなり、前記ブロック４１と前記ラベルは同じ色を有する材料からなる場合、このもう一つの実施例は、前記ブロック４１および前記カバー５０を介して前記誘導部６０を隠すことができる透明瓶体構造を提供することができる。
【００３２】
このもう一つの実施例において、前記瓶体をかばんまたは他の物につけるように、前記瓶体４０上にも前記ハンガー構造を設置することができる。
【００３３】
上記の説明は単なる例示であり、限定的なものではない。本考案の範囲および趣旨を逸脱することなく均等範囲内における変更および修正は、いずれも添付の実用新案登録請求の範囲で扱うものとする。
【符号の説明】
【００３４】
１０：第１の瓶体
１１：第１の凹部
１２：第１の接続部
２０：第２の瓶体
２１：第２の瓶凹部
２２：第２の瓶接続部
３０：誘導部
４０：瓶体
４１：ブロック
４１１：接着面
４２：第１の接続部
４２１：溝
５０：カバー
５１：第２の接続部
５１１：突出部
６０：誘導部
【図１】
0003233319.tif 000003
【図２】
0003233319.tif 000004
【図３】
0003233319.tif 000005
【図４】
0003233319.tif 000006